(57)【要約】      （修正有）【課題】保護部材を扉に確実に固定して、冷蔵庫の運搬時等における扉の損傷を防止する扉の保護構造を提供する。【解決手段】冷蔵庫本体６と、この冷蔵庫本体６に互いに左右方向に隣接して取り付けられる第１の扉１および第２の扉２と、上記第１の扉１および上記第２の扉２に取り付けられると共に上記第１の扉１および上記第２の扉２のそれぞれの前面の少なくとも一部を覆って保護する保護部材５とを有する。上記第１の扉１および上記第２の扉２が上記冷蔵庫本体６に対して閉じられた状態で、上記保護部材５の上記係止部５２が上記第１の扉１および上記第２の扉２のそれぞれの上記孔部１３，２３に係止して、上記保護部材５は、上記第１の扉１および上記第２の扉２からの離脱を、規制される。【選択図】図６
2007326623.tif 000002
【特許請求の範囲】
【請求項１】
開口部を有する箱体と、
この箱体の開口部に互いに隣接して取り付けられる第１の扉および第２の扉と、
上記第１の扉および上記第２の扉に取り付けられると共に上記第１の扉および上記第２の扉のそれぞれの前面の少なくとも一部を覆って保護する保護部材と
を備え、
上記第１の扉および上記第２の扉のそれぞれは、上記箱体に対して閉じられた状態で、互いに対向する側に、孔部を有し、
上記保護部材は、
上記第１の扉および上記第２の扉のそれぞれの前面の前方に位置する本体部と、
この本体部の上記第１の扉および上記第２の扉側の一面に設けられると共に、上記第１の扉および上記第２の扉が上記箱体に対して閉じられた状態で上記第１の扉の上記孔部および上記第２の扉の上記孔部に係止する係止部と
を有することを特徴とする扉の保護構造。
【請求項２】
請求項１に記載の扉の保護構造において、
上記第１の扉および上記第２の扉は、互いに対向する側が開閉するように上記箱体に取り付けられた観音開き構造であることを特徴とする扉の保護構造。
【請求項３】
請求項２に記載の扉の保護構造において、
上記第１の扉および上記第２の扉のそれぞれは、扉本体と、この扉本体の前面でこの扉本体の開閉する側に設けられて上記扉本体とともに上記孔部を形成する取手部とを有することを特徴とする扉の保護構造。
【請求項４】
請求項３に記載の扉の保護構造において、
上記扉本体の前面で上記扉本体の開閉する側に、凹部が設けられ、上記取手部は、上記凹部に配置され、
上記保護部材の上記係止部は、上記第１の扉および上記第２の扉のそれぞれの上記凹部の形状に一致して重なるように、形成されていることを特徴とする扉の保護構造。
【発明の詳細な説明】
【技術分野】
【０００１】
この発明は、例えば、（冷蔵庫または電子レンジ等の）電気製品や（タンスまたは棚等の）家具等の扉を有する箱体の扉の保護構造に関する。詳しくは、この扉の保護構造は、上記箱体の運搬時の上記扉の損傷を防止する。
【背景技術】
【０００２】
従来の扉の保護構造は、冷蔵庫の扉の外面を、ほぼ一定の空間部をもって覆う包装容器において、この空間部に保護部材を備えていた（特開２００３−７２８４９号公報：特許文献１参照）。
【０００３】
この保護部材は、断面略三角形に組み立てられ、上記保護部材の一辺が上記扉の外面と当接し、上記保護部材の上記一辺に対向する頂点が、上記包装容器と当接することで、外部からの衝撃に対して上記扉を保護していた。
【０００４】
具体的に述べると、上記保護部材は、扉固定部を有し、上記扉は、前方に突出したドアハンドルを有し、上記保護部材の上記扉固定部を上記扉の上記ドアハンドルに上方から引っ掛けることで、上記保護部材を上記扉に取り付けていた。
【０００５】
しかしながら、上記従来の扉の保護構造では、上記保護部材は、上記ドアハンドルに上方から引っ掛けられて、上記扉に取り付けられていただけなので、上記保護部材に上向きの力がかかった場合、上記保護部材が上記ドアハンドルから容易に離脱する欠点があった。このため、例えば、冷蔵庫の運搬時に、上記保護部材が冷蔵庫から離脱して、上記冷蔵庫の扉が損傷するおそれがあった。
【特許文献１】特開２００３−７２８４９号公報
【発明の開示】
【発明が解決しようとする課題】
【０００６】
そこで、この発明の課題は、保護部材を扉に確実に固定して、冷蔵庫の運搬時等における扉の損傷を防止する扉の保護構造を提供することにある。
【課題を解決するための手段】
【０００７】
上記課題を解決するため、この発明の扉の保護構造は、
開口部を有する箱体と、
この箱体の開口部に互いに隣接して取り付けられる第１の扉および第２の扉と、
上記第１の扉および上記第２の扉に取り付けられると共に上記第１の扉および上記第２の扉のそれぞれの前面の少なくとも一部を覆って保護する保護部材と
を備え、
上記第１の扉および上記第２の扉のそれぞれは、上記箱体に対して閉じられた状態で、互いに対向する側に、孔部を有し、
上記保護部材は、
上記第１の扉および上記第２の扉のそれぞれの前面の前方に位置する本体部と、
この本体部の上記第１の扉および上記第２の扉側の一面に設けられると共に、上記第１の扉および上記第２の扉が上記箱体に対して閉じられた状態で上記第１の扉の上記孔部および上記第２の扉の上記孔部に係止する係止部と
を有することを特徴としている。
【０００８】
この発明の扉の保護構造によれば、上記保護部材は、上記第１の扉および上記第２の扉のそれぞれの前面の前方に位置する本体部と、この本体部の上記第１の扉および上記第２の扉側の一面に設けられると共に、上記第１の扉および上記第２の扉が上記箱体に対して閉じられた状態で上記第１の扉の上記孔部および上記第２の扉の上記孔部に係止する係止部とを有するので、上記第１の扉および上記第２の扉が上記箱体に対して閉じられた状態で、上記保護部材の上記係止部が上記第１の扉および上記第２の扉のそれぞれの上記孔部に係止して、上記保護部材は、上記第１の扉および上記第２の扉からの離脱を、規制される。
【０００９】
したがって、簡単な構成にて、上記保護部材を上記第１の扉および上記第２の扉に確実に固定することができる。例えば、上記箱体の運搬時に、上記保護部材に下向きの力がかかっても、上記保護部材が上記箱体から離脱することを防ぐことができて、上記第１の扉および上記第２の扉の損傷を防止することができる。
【００１０】
また、上記保護部材の上記係止部が上記第１の扉および上記第２の扉のそれぞれの上記孔部に係止するので、上記保護部材は、上記第１の扉および上記第２の扉の前方へ外れることがない。このように、上記保護部材を、仮止めテープにて、上記箱体に固定する必要がなくて、仮止めテープは、不要になる。
【００１１】
また、一実施形態の扉の保護構造では、上記第１の扉および上記第２の扉は、互いに対向する側が開閉するように上記箱体に取り付けられた観音開き構造である。
【００１２】
この実施形態の扉の保護構造によれば、上記第１の扉および上記第２の扉は、互いに対向する側が開閉するように上記箱体に取り付けられた観音開き構造であるので、上記第１の扉および上記第２の扉のそれぞれの上記孔部は、開閉する側に位置する。したがって、上記保護部材は、上記第１の扉および上記第２の扉の開閉する側に取り付けられて、上記保護部材は、上記箱体の運搬時に、上記第１の扉および上記第２の扉が不意に開くことを防止する。
【００１３】
また、一実施形態の扉の保護構造では、上記第１の扉および上記第２の扉のそれぞれは、扉本体と、この扉本体の前面でこの扉本体の開閉する側に設けられて上記扉本体とともに上記孔部を形成する取手部とを有する。
【００１４】
この実施形態の扉の保護構造によれば、上記第１の扉および上記第２の扉のそれぞれは、扉本体と、この扉本体の前面でこの扉本体の開閉する側に設けられて上記扉本体とともに上記孔部を形成する取手部とを有するので、上記孔部を、指の係りとして使用することができる。
【００１５】
また、一実施形態の扉の保護構造では、上記扉本体の前面で上記扉本体の開閉する側に、凹部が設けられ、上記取手部は、上記凹部に配置され、
上記保護部材の上記係止部は、上記第１の扉および上記第２の扉のそれぞれの上記凹部の形状に一致して重なるように、形成されている。
【００１６】
この実施形態の扉の保護構造によれば、上記扉本体の前面で上記扉本体の開閉する側に、凹部が設けられ、上記取手部は、上記凹部に配置され、上記保護部材の上記係止部は、上記第１の扉および上記第２の扉のそれぞれの上記凹部の形状に一致して重なるように、形成されているので、上記保護部材を上記扉本体に密着して取り付けることができて、上記保護部材を上記第１の扉および上記第２の扉に安定して取り付けることができる。
【発明の効果】
【００１７】
この発明の扉の保護構造によれば、上記保護部材は、上記第１の扉および上記第２の扉のそれぞれの前面の前方に位置する本体部と、この本体部の上記第１の扉および上記第２の扉側の一面に設けられると共に、上記第１の扉および上記第２の扉が上記箱体に対して閉じられた状態で上記第１の扉の上記孔部および上記第２の扉の上記孔部に係止する係止部とを有するので、簡単な構成にて、上記保護部材を上記扉に確実に固定することができて、例えば、冷蔵庫の運搬時等における冷蔵庫の扉の損傷を防止できる。
【発明を実施するための最良の形態】
【００１８】
以下、この発明を図示の実施の形態により詳細に説明する。
【００１９】
図１は、この発明の扉の保護構造の一実施形態である正面図を示している。図２は、図１の右半分の扉を省いた右側面図である。図１と図２に示すように、この扉の保護構造は、開口部を有する（箱体としての）冷蔵庫本体６と、この冷蔵庫本体６の開口部に取り付けられる第１の扉１、第２の扉２、第３の扉３および第４の扉４と、上記第１〜上記第４の扉１〜４に取り付けられる二つの保護部材５，５とを備える。
【００２０】
上記第１の扉１および上記第２の扉２は、上記冷蔵庫本体６の上段に取り付けられ、上記第１の扉１は、左側に配置され、上記第２の扉２は、右側に配置されている。上記第１の扉１および上記第２の扉２は、互いに対向する側が開閉するように上記冷蔵庫本体６に取り付けられた観音開き構造である。
【００２１】
上記第１の扉１および上記第２の扉２は、冷蔵室の扉である。上記第１の扉１および上記第２の扉２は、上記冷蔵庫本体６に対して閉じられた状態で、上下方向に延びる隙間７を有する。
【００２２】
上記第３の扉３および上記第４の扉４は、上記冷蔵庫本体６の下段に取り付けられ、上記第３の扉３は、左側に配置され、上記第４の扉４は、右側に配置されている。上記第３の扉３および上記第４の扉４は、互いに対向する側が開閉するように上記冷蔵庫本体６に取り付けられた観音開き構造である。
【００２３】
上記第３の扉３は、冷凍室または野菜室の一方の扉である。上記第４の扉４は、冷凍室または野菜室の他方の扉である。上記第３の扉３および上記第４の扉４は、上記冷蔵庫本体６に対して閉じられた状態で、上下方向に延びる隙間８を有する。
【００２４】
一方の上記保護部材５は、上記第１の扉１および上記第２の扉２に取り付けられると共に上記第１の扉１および上記第２の扉２のそれぞれの前面の少なくとも一部を覆って保護する。
【００２５】
他方の上記保護部材５は、上記第３の扉３および上記第４の扉４に取り付けられると共に上記第３の扉３および上記第４の扉４のそれぞれの前面の少なくとも一部を覆って保護する。
【００２６】
ここで、上記第１〜上記第４の扉１〜４の前面とは、上記第１〜上記第４の扉１〜４が開く方向をいう。  
【００２７】
そして、上記保護部材５が取り付けられた冷蔵庫は、（図示しない）包装容器に覆われて、運搬される。このとき、上記保護部材５は、外部からの衝撃に対して、上記第１〜上記第４の扉１〜４の前面の一部を保護する。
【００２８】
図３と図４に示すように、上記第１の扉１および上記第２の扉２のそれぞれは、上記冷蔵庫本体６に対して閉じられた状態で、互いに対向する側に、孔部１３，２３を有する。上記第１の扉１および上記第２の扉２は、互いに対向する側が矢印方向に開く。
【００２９】
具体的に述べると、上記第１の扉１は、扉本体１１と、この扉本体１１の前面でこの扉本体１１の開閉する側に設けられる取手部１２とを有する。上記取手部１２は、上下方向に延在し、上記扉本体１１とともに上記孔部１３を形成する。上記扉本体１１の前面で上記扉本体１１の開閉する側に、凹部１１ａが設けられ、上記取手部１２は、上記凹部１１ａに配置されている。
【００３０】
上記第２の扉２は、扉本体２１と、この扉本体２１の前面でこの扉本体２１の開閉する側に設けられる取手部２２とを有する。上記取手部２２は、上下方向に延在し、上記扉本体２１とともに上記孔部２３を形成する。上記扉本体２１の前面で上記扉本体２１の開閉する側に、凹部２１ａが設けられ、上記取手部２２は、上記凹部２１ａに配置されている。
【００３１】
同様に、上記第３の扉３および上記第４の扉４のそれぞれは、上記冷蔵庫本体６に対して閉じられた状態で、互いに対向する側に、孔部３３を有する。
【００３２】
具体的に述べると、上記第３の扉３は、扉本体３１と、この扉本体３１の前面でこの扉本体３１の開閉する側に設けられる取手部３２とを有する。上記取手部３２は、上下方向に延在し、上記扉本体３１とともに上記孔部３３を形成する。上記扉本体３１の前面で上記扉本体３１の開閉する側に、凹部３１ａが設けられ、上記取手部３２は、上記凹部３１ａに配置されている。
【００３３】
上記第４の扉４は、扉本体４１と、この扉本体４１の前面でこの扉本体４１の開閉する側に設けられる取手部４２とを有する。上記取手部４２は、上下方向に延在し、上記扉本体４１とともに上記孔部を形成する。上記扉本体４１の前面で上記扉本体４１の開閉する側に、凹部４１ａが設けられ、上記取手部４２は、上記凹部４１ａに配置されている。
【００３４】
上記第１の扉１および上記第２の扉２に取り付けられる上記保護部材５について説明すると、図１、図５および図６に示すように、上記保護部材５は、上記第１の扉１および上記第２の扉２のそれぞれの前面の前方に位置する本体部５１と、この本体部５１の上記第１の扉１および上記第２の扉２側の一面に設けられる係止部５２とを有する。
【００３５】
上記本体部５１および上記係止部５２は、上下方向に延在した平板状に形成されている。上記本体部５１の左右方向中央部と、上記係止部５２の左右方向中央部とは、上下方向に延在した連結部５３を介して、連結されている。
【００３６】
上記係止部５２は、上記第１の扉１および上記第２の扉２が上記冷蔵庫本体６に対して閉じられた状態で上記第１の扉１の上記孔部１３および上記第２の扉２の上記孔部２３に挿入されて係止する。
【００３７】
上記保護部材５は、例えば、弾性を有する発泡スチロール等の合成樹脂の一体成型からなり、上記本体部５１、上記係止部５２および上記連結部５３は、一体に形成される。
【００３８】
上記保護部材５の上記係止部５２は、上記第１の扉１および上記第２の扉２のそれぞれの上記凹部１１ａ，２１ａの形状に一致して重なるように、形成されている。つまり、上記係止部５２は、横断面、算盤玉状に、形成されている。
【００３９】
上記連結部５３は、上記第１の扉１の上記取手部１２と上記第２の扉２の上記取手部２２との間の上記隙間７に、挟持される。
【００４０】
なお、上記第３の扉３および上記第４の扉４に取り付けられる上記保護部材５は、上記第１の扉１および上記第２の扉２に取り付けられる上記保護部材５と同様の構成であるので、説明を省略する。
【００４１】
次に、上記保護部材５を上記第１の扉１および上記第２の扉２に取り付ける方法を説明する。
【００４２】
図７に示すように、上記第１の扉１および上記第２の扉２を開けた状態で、上記保護部材５の上記本体部５１を、上記取手部１２の前方に位置して、上記保護部材５の上記係止部５２の左半分の部分（つまり、上記係止部５２の左右方向の一端部）を、上記第１の扉１の上記孔部１３に挿入する。
【００４３】
その後、上記第１の扉１および上記第２の扉２を閉じながら、上記保護部材５の上記係止部５２の右半分の部分（つまり、上記係止部５２の左右方向の他端部）を、上記第２の扉２の上記孔部２３に挿入していき、図６に示すように、上記第１の扉１および上記第２の扉２を閉じた状態で、上記保護部材５を上記第１の扉１および上記第２の扉２に取り付ける。
【００４４】
なお、説明を省略するが、上記保護部材５を、上記第３の扉３および上記第４の扉４に取り付ける場合も、同様に行うことができる。
【００４５】
上記構成の扉の保護構造によれば、上記保護部材５は、上記本体部５１と、この本体部５１に設けられた上記係止部５２とを有するので、上記第１の扉１および上記第２の扉２が閉じられた状態で、上記保護部材５の上記係止部５２が上記第１の扉１および上記第２の扉２のそれぞれの上記孔部１３，２３に係止して、上記保護部材５は、上記第１の扉１および上記第２の扉２からの離脱を、規制される。
【００４６】
また、上記第３の扉３および上記第４の扉４が閉じられた状態で、上記保護部材５の上記係止部５２が上記第３の扉３および上記第４の扉４のそれぞれの上記孔部３３に係止して、上記保護部材５は、上記第３の扉３および上記第４の扉４からの離脱を、規制される。なお、以下、上記保護部材５を上記第１の扉１および上記第２の扉２に取り付けた場合の作用効果を説明する一方、上記保護部材５を上記第３の扉３および上記第４の扉４に取り付けた場合の作用効果は、同様であるので、この説明を省略する。
【００４７】
したがって、簡単な構成にて、上記保護部材５を、上記第１の扉１および上記第２の扉２に、確実に固定することができる。例えば、上記冷蔵庫本体６の運搬時に、上記保護部材５に下向きの力がかかっても、上記保護部材５が上記冷蔵庫本体６から離脱することを防ぐことができて、上記第１の扉１および上記第２の扉２の損傷を防止することができる。
【００４８】
また、上記保護部材５の上記係止部５２が上記第１の扉１および上記第２の扉２のそれぞれの上記孔部１３，２３に係止するので、上記保護部材５は、上記第１の扉１および上記第２の扉２の前方へ外れることがない。このように、上記保護部材５を、仮止めテープにて、上記冷蔵庫本体６に固定する必要がなくて、仮止めテープは、不要になる。
【００４９】
また、上記第１の扉１および上記第２の扉２は、互いに対向する側が開閉するように上記冷蔵庫本体６に取り付けられた観音開き構造であるので、上記第１の扉１および上記第２の扉２のそれぞれの上記孔部１３，２３は、開閉する側に位置する。したがって、上記保護部材５は、上記第１の扉１および上記第２の扉２の開閉する側に取り付けられて、上記保護部材５は、上記冷蔵庫本体６の運搬時に、上記第１の扉１および上記第２の扉２が不意に開くことを防止する。
【００５０】
また、上記第１の扉１および上記第２の扉２のそれぞれは、上記扉本体１１，２１と、この扉本体１１，２１の前面でこの扉本体１１，２１の開閉する側に設けられて上記扉本体１１，２１とともに上記孔部１３，２３を形成する上記取手部１２，２２とを有するので、上記孔部１３，２３を、指の係りとして使用することができる。
【００５１】
また、上記扉本体１１，２１の前面で上記扉本体１１，２１の開閉する側に、上記凹部１１ａ，２１ａが設けられ、上記取手部１２，２２は、上記凹部１１ａ，２１ａに配置され、上記保護部材５の上記係止部５２は、上記第１の扉１および上記第２の扉２のそれぞれの上記凹部１１ａ，２１ａの形状に一致して重なるように、形成されているので、上記保護部材５を上記扉本体１１，２１に密着して取り付けることができて、上記保護部材５を上記第１の扉１および上記第２の扉２に安定して取り付けることができる。
【００５２】
また、上記保護部材５は、一体成型からなるので、上記保護部材５を上記第１の扉１および上記第２の扉２に取り付ける前に、上記保護部材５を組み立てる必要がなくて、上記保護部材５をそのまま上記第１の扉１および上記第２の扉２に取り付けることができて、作業性が向上する。
【００５３】
また、上記保護部材５は、発泡スチロールからなるので、上記保護部材５は、軽量であり、上記保護部材５を容易に持ち運ぶことができる。また、上記保護部材５の製造や加工が、容易になる。
【００５４】
なお、この発明は上述の実施形態に限定されない。例えば、上記保護部材５の上記係止部５２を、上記保護部材５の上記本体部５１の上下方向の全長にわたって設ける必要はなく、上記本体部５１の上下方向の長さの半分程度であってもよい。また、上記係止部５２を複数に分割して設けてもよい。
【００５５】
また、上記保護部材５の上記本体部５１の左右方向の幅寸法は、少なくとも上記取手部１２，２２を覆う程度の大きさであればよい。また、上記保護部材５の上記本体部５１は、平板状以外に、ブロック形状等であってもよい。
【００５６】
また、上記第１の扉１および上記第２の扉２と上記取手部１２，２２とによって形成された貫通状の上記孔部１３，２３の代わりに、上記扉本体１１，２１の互いに対向する側面に、凹状の孔部を設けてもよい。
【００５７】
また、上記保護部材５を、左右方向に隣接する上記第１の扉１および上記第２の扉２に取り付ける以外に、上下方向に隣接する上記第１の扉１および上記第３の扉３に取り付けてもよい。このとき、上記第１の扉１および上記第３の扉３の互いに対向する側に、上記保護部材５の上記係止部５２が係止する孔部を設ける。
【００５８】
また、上記第１の扉１および上記第２の扉２と、上記第３の扉３および上記第４の扉４とは、観音開き構造に限らず、互いに同じ側が開く構造であってもよく、または、引き出し構造であってもよい。
【００５９】
この発明の扉の保護構造を、冷蔵庫以外に、例えば、（電子レンジ等の）電気製品や（タンスまたは棚等の）家具等の扉を有する箱体に、用いてもよい。
【図面の簡単な説明】
【００６０】
【図１】本発明の扉の保護構造の一実施形態を示すと共に保護部材が取り付けられた冷蔵庫を示す正面図である。
【図２】保護部材が取り付けられた冷蔵庫の側面図である。
【図３】冷蔵庫の側面図である。
【図４】冷蔵庫の平面図である。
【図５】保護部材の斜視図である。
【図６】保護部材が取り付けられた冷蔵庫の平面図である。
【図７】冷蔵庫に保護部材を取り付ける状態を示す平面図である。
【符号の説明】
【００６１】
１  第１の扉
１１  扉本体
１１ａ  凹部
１２  取手部
１３  孔部
２  第２の扉
２１  扉本体
２１ａ  凹部
２２  取手部
２３  孔部
３  第１の扉
３１  扉本体
３１ａ  凹部
３２  取手部
３３  孔部
４  第１の扉
４１  扉本体
４１ａ  凹部
４２  取手部
５  保護部材
５１  本体部
５２  係止部
５３  連結部
６  冷蔵庫本体（箱体）
７，８  隙間
【図１】
2007326623.tif 000003
【図２】
2007326623.tif 000004
【図３】
2007326623.tif 000005
【図４】
2007326623.tif 000006
【図５】
2007326623.tif 000007
【図６】
2007326623.tif 000008
【図７】
2007326623.tif 000009